(57)【要約】【課題】吸収体中のパルプ量、高吸収性ポリマー量を変えることなく、パルプ・高吸収性ポリマーそれぞれの特性を発揮し、十分な吸収速度と吸収性能とを確保し得る吸収性物品を提供する。【解決手段】液透過性のトップシート１と、液不透過性のバックシート２と、該両シート１，２間に介在された吸収体３とを備えた吸収性物品において、前記吸収体３を、前記トップシート１側に位置する親水性繊維又は化学繊維の集合体からなる第１吸収層３ａと、前記バックシート２側に位置して高吸収性ポリマーＰが親水性繊維又は化学繊維Ｆ間に保持された第２吸収層３ｂとによって構成して、体液が、吸収速度の速い第１吸収層３ａを介して第２吸収層３ｂに吸収保持されるようにし、もって十分拡散された状態での体液吸収が得られるようにしている。【選択図】　　　　図２
2004024570.tif 000002
【特許請求の範囲】
【請求項１】
液透過性のトップシートと、液不透過性のバックシートと、該両シート間に介在された吸収体とを備えた吸収性物品であって、前記吸収体を、前記トップシート側に位置する親水性繊維又は化学繊維の集合体からなる第１吸収層と、前記バックシート側に位置して高吸収性ポリマーが親水性繊維又は化学繊維間に保持された第２吸収層とによって構成したことを特徴とする吸収性物品。
【請求項２】
前記吸収体中のフラップパルプの含有率を５０重量％未満に設定したことを特徴とする前記請求項１記載の吸収性物品。
【請求項３】
前記吸収体中の高吸収性ポリマーの含有率を５０重量％以上に設定したことを特徴とする前記請求項１および２のいずれか一項記載の吸収性物品。
【発明の詳細な説明】
【０００１】
【発明の属する技術分野】
本願発明は、使い捨ておむつ、生理用品等として使用される吸収性物品に関するものである。
【０００２】
【従来の技術】
従来の吸収性物品は、不織布の繊維（例えば、パルプ）と高吸水性ポリマーとからなる吸収体を液透過性の表面シートによって被包して構成されていた。
【０００３】
【発明が解決しようとする課題】
ただし、上記吸収性物品は、吸収体の吸収性能を向上させるために高吸収性ポリマーの含有率を増やすと、吸収性能は向上するが、パルプの相対混合量が減少するため吸収速度が減少する。また、同様の条件でパルプの含有率を増やすと、吸収速度は向上するが、保水性が下がるため水分の逆戻り現象が起き易くなる。
【０００４】
本願発明は、上記の点に鑑みてなされたもので、吸収体中のパルプ量、高吸収性ポリマー量を変えることなく、パルプ・高吸収性ポリマーそれぞれの特性を発揮し、十分な吸収速度と吸収性能とを確保し得る吸収性物品を提供することを目的とするものである。
【０００５】
【課題を解決するための手段】
請求項１の発明では、上記課題を解決するための手段として、液透過性のトップシートと、液不透過性のバックシートと、該両シート間に介在された吸収体とを備えた吸収性物品において、前記吸収体を、前記トップシート側に位置する親水性繊維又は化学繊維の集合体からなる第１吸収層と、前記バックシート側に位置して高吸収性ポリマーが親水性繊維又は化学繊維間に保持された第２吸収層とによって構成している。
【０００６】
上記のように構成したことにより、体液が、吸収速度の速い第１吸収層（親水性繊維又は化学繊維の集合体からなっている）を介して第２吸収層（高吸収性ポリマーが親水性繊維又は化学繊維間に保持されている）に吸収保持されることとなり、十分拡散された状態での体液吸収が得られる。また、トップシート側の第１吸収層に粒状の高吸収性ポリマーが存在していないため、トップシート側への高吸収性ポリマーの漏れが生じないし、トップシートのざらつき感がなくなって肌触りが向上する。
【０００７】
請求項２の発明におけるように、請求項１記載の吸収性物品において、前記吸収体中のフラップパルプの含有率を５０重量％未満に設定した場合、吸収性物品の薄肉化を図ることができる。
【０００８】
請求項３の発明におけるように、請求項１および２のいずれか一項記載の吸収性物品において、前記吸収体中の高吸収性ポリマーの含有率を５０重量％以上に設定した場合、吸収能力を十分に向上させることができる。
【０００９】
【発明の実施の形態】
以下、添付の図面を参照して、本願発明の好適な実施の形態について詳述する。
【００１０】
この吸収性物品は、例えば使い捨ておむつ（図１および図２参照）として使用されるもので、液透過性のトップシート１、液不透過性のバックシート２および該両シート１，２間に介在される液保持性の吸収体３を具備しており、前記バックシート２の下側には、外層不織布４が配され、吸収体３の左右両側縁部におけるトップシート１上には、立体ギャザー５，５をそれぞれ形成するための撥水性不織布６，６が配されている。前記外層不織布４の両側縁部と前記撥水性不織布６，６の基部は、ともに前記吸収体３の左右両側縁部より外方に延出されており、該延出部には、レッグ用弾性部材７，７・・が挟持されていて、左右一対のレッグ用ギャザー８，８が形成されている。また、前記各撥水性不織布６の自由縁部６ａには、立体ギャザー形成用の立体ギャザー用弾性部材９がそれぞれ配されている。
【００１１】
また、この使い捨ておむつは、着用時に着用者の腹側と背側とをそれぞれ覆う前身頃部１０と後見頃部１１とに区分されている。そして、前記後見頃部１１には、左右一対のテープファスナー１２，１２が設けられており、これらのテープファスナー１２，１２を前記前身頃部１０のバックシート側に固定することにより使い捨ておむつを装着できるようになっている。
【００１２】
前記吸収体３は、図２に示すように、前記トップシート１側に位置する親水性繊維又は化学繊維の集合体からなる第１吸収層３ａと、前記バックシート２側に位置して高吸収性ポリマーＰが親水性繊維又は化学繊維の繊維Ｆ間に保持された第２吸収層３ｂとによって構成されている。
【００１３】
前記第２吸収層３ｂの親水性繊維又は化学繊維としては、ポリエチレン、ポリプロピレン等のポリオレフィン系繊維、ポリエチレンテレフタレート等のポリエステル、ポリアミド類の縮合系繊維、ポリ塩化ビニル、ポリ酢酸ビニル、ポリビニルアルコール等のビニルモノマー重合体の繊維等の他、バルプ繊維、コットン繊維、レーヨン繊維、酢酸セルロース等のセルロース系繊維等が挙げられる。このうち、石油原料の繊維は、単一成分からなるものでも２種以上の成分をランダム、ブロック等に共重合したものでもよく、また、２種以上の成分を積層、または芯鞘等に複合化した繊維であってもよい。また、これらの繊維のうち疎水性のものは、油剤等の処理により親水化して用いてもよい。
【００１４】
また、前記第２吸収層３ｂに保持させる高吸収性ポリマーＰとしては、例えば、ポリアクリル酸ナトリウム（アクリル酸ービニルアルコール）共重合体、ポリアクリル酸ナトリウム架橋体、（でんぷんーアクリル酸）グラフト共重合体、（イソブチレンー無水マレイン酸）共重合体およびその鹸化物、ポリアスパラギン酸等、従来から知られている各種のものを用いることができ、これらは一種を単独で用いても良いし、複数種類のポリマーを任意の割合で混合して用いても良い。
【００１５】
なお、吸収体３中におけるフラップパルプ量は、吸収性物品の軽量化、薄肉化を図る点から５０重量％以下、好ましくは０〜３０重量％とされる。また、高吸収性ポリマーＰの含有率は、吸収性能の維持向上の観点から、５０重量％以上、好ましくは５０〜９９重量％とされる。
【００１６】
一方、前記第１吸収層３ａを構成する親水性繊維又は化学繊維とは、親水性繊維又は化学繊維を少なくとも５０重量％含有する繊維の集合体のことであり、該親水性繊維又は化学繊維としては、前記第２吸収層３ｂの親水性繊維又は化学繊維として例示した繊維を用いることができ、疎水性のものは、油剤等の処理により親水化して用いる。但し、親水性繊維又は化学繊維の集合体を構成する繊維の総てが親水性である必要はなく、疎水性の繊維が混在していても良い。この場合、第１吸収層３ａ中の疎水性繊維の含有率は、吸収性能の点から、５０重量％未満とするのが好ましい。この第１吸収層３ａを構成する親水性繊維又は化学繊維の集合体は、繊維の積層物、堆積物等を用いることもできるが、吸収体３の強度が向上するので、第２吸収層３ｂの繊維と同様に不織布化して用いる。
【００１７】
また、第１吸収層３ａを構成する親水性繊維又は化学繊維の集合体と、第２吸収層３ｂを構成する高吸収性ポリマーおよび親水性繊維又は化学繊維とは、それぞれ別個に台紙に包まれていても良いし、両者が積層されてなる積層体が台紙に包まれていても良い。さらに、第１吸収層３ａおよび第２吸収層３ｂの一方または両方が台紙に包まれていなくとも良い。また、第１吸収層３ａと第２吸収層３ｂとは、積層されて一体化されていても良い。
【００１８】
上記のように構成された使い捨ておむつにおいては、次のような作用効果が得られる。
【００１９】
即ち、体液が、吸収速度の速い第１吸収層３ａ（親水性繊維又は化学繊維の集合体からなっている）を介して第２吸収層３ｂ（高吸収性ポリマーＰが親水性繊維又は化学繊維Ｆ間に保持されている）に吸収保持されることとなり、十分拡散された状態での体液吸収が得られる。また、トップシート１側の第１吸収層３ａに粒状の高吸収性ポリマーＰが存在していないため、トップシート１側への高吸収性ポリマーＰの漏れが生じないし、トップシート１のざらつき感がなくなって肌触りが向上する。
【００２０】
上記実施の形態においては、使い捨ておむつとして使用される吸収性物品について説明したが、本願発明は、生理用品等として使用される吸収性物品にも適用可能なことは勿論である。
【００２１】
【発明の効果】
請求項１の発明によれば、液透過性のトップシートと、液不透過性のバックシートと、該両シート間に介在された吸収体とを備えた吸収性物品において、前記吸収体を、前記トップシート側に位置する親水性繊維又は化学繊維の集合体からなる第１吸収層と、前記バックシート側に位置して高吸収性ポリマーが親水性繊維又は化学繊維間に保持された第２吸収層とによって構成して、体液が、吸収速度の速い第１吸収層（親水性繊維又は化学繊維の集合体からなっている）を介して第２吸収層（高吸収性ポリマーが親水性繊維又は化学繊維間に保持されている）に吸収保持されるようにしたので、十分拡散された状態での体液吸収が得られるという効果がある。また、トップシート側の第１吸収層に粒状の高吸収性ポリマーが存在していないため、トップシート側への高吸収性ポリマーの漏れが生じないし、トップシートのざらつき感がなくなって肌触りが向上するという効果もある。
【００２２】
請求項２の発明におけるように、請求項１記載の吸収性物品において、前記吸収体中のフラップパルプの含有率を５０重量％未満に設定した場合、吸収性物品の薄肉化を図ることができる。
【００２３】
請求項３の発明におけるように、請求項１および２のいずれか一項記載の吸収性物品において、前記吸収体中の高吸収性ポリマーの含有率を５０重量％以上に設定した場合、吸収能力を十分に向上させることができる。
【図面の簡単な説明】
【図１】本願発明の実施の形態にかかる吸収性物品の具体例である使い捨ておむつの平面図である。
【図２】本願発明の実施の形態にかかる吸収性物品の具体例である使い捨ておむつの縦断面図である。
【符号の説明】
１はトップシート、２はバックシート、３は吸収体、３ａは第１吸収層、３ｂは第２吸収層、Ｐは高吸収性ポリマー、Ｆは親水性繊維又は化学繊維。
【図１】
2004024570.tif 000003
【図２】
2004024570.tif 000004